(57)【要約】【課題】従来テントを張設する際に使用されるテント用ペグにおいて、ロープ結束時あるいは張設後の各ロープの張力の調整時における煩雑な手間と技術的な熟練及び調整治具の必用性が在った。【解決手段】本体の一部に間隙部形状を上方に狭小させた逆V字型に形成することを特徴とした紐留め部分を備えさらに杭本体の上部に紐誘導及び保持の為の間隙部形状を下方に狭小させたU字溝を備えることを特徴とするテント用ペグで、紐留め部へ紐の装着、固定及び張力の調整などこれまで時間と熟練と冶具を必要としていたテントの設営作業を短時間で確実に、熟練を要さず、治具を用いることなく実施する事を可能にしたものである。【選択図】図１
2006132165.tif 000002
【特許請求の範囲】
【請求項１】
杭本体の一部に紐止め間隙部分を備えたテント用ペグにおいて、紐留め間隙部形状を上方に狭小させた逆V字型に形成することを特徴とするテント用ペグ。
【請求項２】
杭本体の上部に間隙部形状を下方に狭小させたU字溝を備えることを特徴とするテント用ペグ。
【発明の詳細な説明】
【技術分野】
【０００１】
本発明は、テントを張設する際に用いられるテント用ペグに関するものである。
【背景技術】
【０００２】
テント用ペグは、テントを張設する際にテントの周囲の地面に対角線状あるいは放射状に数本打ち込み、テント及びそれぞれのテント支柱を支持するために連設されているロープの端部を結び付けるもので、少なくとも杭本体と本体の上部に設けられた紐留め部、最上部に殴打部を備えたものである。（例えば、特開2000-145208号、図1,図5参照）特に紐掛け部の構造は、通常切欠状或はリング状或は掛け鉤状と成っている。
【０００３】
さらにテント及びテント支柱を適格に支持するために連設されたロープはペグに連結する折、又は連結後に張力の調整を特別な結束方法或は調整冶具（例えば、特開2003-120073参照）により成されなければ成らない。
【特許文献１】特開2000-145208号公報
【特許文献２】特開2003-120073号公報
【発明の開示】
【発明が解決しようとする課題】
【０００４】
紐留め部の形状により様様な連結方法があるが、切欠状のものはあらかじめロープを輪状にしたものを装着するか連結後輪状にし結束する必要がある。リング状のものも予め輪状にした端部はそのままの状態では連結することができずロープの端部をリング内に差し入れて後、輪状にし結束する必要がありいずれも作業が煩雑である。掛け鉤状ものにおいては輪状の装着や結び付け作業は容易であるがロープが緩んだ場合、紐掛け部からロープが抜け外れてしまう恐れがある。
【０００５】
さらにいずれの方法によってもロープはペグに連結する折、または連結後にテント及びテント支柱を適格に支持するために張力の調整を特別な結束方法或は調整冶具を用いて行う必要があり重ねて作業の煩雑化が伴われ、あるいは特別な調整冶具の所持が必要とされる問題点がある。
【０００６】
本発明はこのような問題点を解決し簡単に設営できるテント用ペグを提供するものである。  
【課題を解決するための手段】
【０００７】
上記課題を解決する為に、本発明はテント用ペグの本体の一部に間隙部形状を上方に狭小させた逆V字型に形成することを特徴とした紐留め間隙部分を備えさらに杭本体の上部に紐誘導及び保持の為の間隙部形状を下方に狭小させたU字溝を備えることとした。
【０００８】
従って紐止め部にロープを装着する場合においてテント及びテント支柱から導かれたロープは、まず間隙部形状を下方に狭小させたU字溝にて保持され次に逆V字型に形成された紐留め部に通し上方に引き上げるだけで容易に装着固定できる。
【０００９】
また連結する折又は連結後に成される張力の調整は特別な結束方法或は調整冶具を一切用いること無く、上記〔０００８〕に記したロープ装着固定動作を繰り返すだけで容易に調整可能と成る。
【発明の効果】
【００１０】
本発明は本体の一部に間隙部形状を上方に狭小させた逆V字型に形成することを特徴とした紐留め部分を備えさらに杭本体の上部に紐誘導及び保持の為の間隙部形状を下方に狭小させたU字溝を備えることを特徴とするテント用ペグで、紐留め部へのロープの装着、固定及び張力の調整などこれまで時間と熟練と冶具を必要としていたテントの設営作業を短時間で確実に、熟練を要さず、治具を用いることなく実施する事を可能にしたものである。
【発明を実施するための最良の形態】
【００１１】
本発明の実施形態について図１〜図４に基いて説明する。
【００１２】
図１、実施形態に示したテント用ペグはペグ本体１、と本体上部に設けた間隙部形状を下方に狭小させたU字溝２、本体中間部に設けた逆V字型に形成された紐留め部３、殴打部４、補強突条５から構成され全体は金属による打ち抜きあるいは鋳造などにより成形されたものである。
【００１３】
杭本体１、は板状で中央部分Ｂ−Ｂを軸にほぼ直角に半折し本体の強度を増すための
補強突条５を形成、同様に上端部分左右を一部折曲する事によって杭本体の埋め込み時に打撃を容易且つ確実にさしめる殴打部4を設ける。
【００１４】
本テント用ペグは従来のものと同様テントの設営に使用するもので、本体下部を土中
に埋め込み地表に露出した本体上部に設けた間隙部形状を下方に狭小させたU字溝２にテントから引き込まれたロープ６を誘引装着する。〔図３〕〔図４〕参照
【００１５】
U字溝2はテント部から引きこまれたロープ６Aを保持しテント部と杭本体1の間に一時的なたるみが生じた場合においても下方に狭小させたU字溝部分がテント部からのロープ6Aを保持する事によってロープ6Aの脱落を防止し、且つロープ6Aのたるみが本体中間部に設けた逆V字型に形成された紐留め部３に至るロープ6Bにそのたるみを伝えない役目を持つ。〔図３〕〔図４〕参照
【００１６】
本体上部に設けた間隙部形状を下方に狭小させたU字溝2を経由したロープ６Bは補強突条５の背面を通り本体中間部に設けた逆V字型に形成された紐留め部３に貫通装着される、装着されたロープ6Cをテント部からのロープ6Ａに適度に張力を掛けるように引き込み、逆V字型狭小方向に持ち上げる事だけでロープ6Cはロープの太さとＶ字溝の間隙巾との限界点まで圧入され確実に固定する事が出来る。よって従来の製品のようにロープを輪状にしたものを装着するか連結後輪状にし結束するような手間が不用になる。
【００１７】
さらに風など影響によりテント部から強い張力を受けたとしてもロープ6Cは上部ロープ6B方向から逆Ｖ字型狭小方向にさらに引き上げられる力を受け、この力はロープ６Ｃが逆Ｖ字型狭小部に予め限界点まで装着されていた位置からロープの太さとＶ字溝の間隙巾との限界点を超えてさらに圧入されようとする力と成りロープが抜け外れる事はない。これとは逆にテント部から引きこまれたロープ６Aがテント部と杭本体1の間で一時的なたるみを生じた場合においても〔００１４〕に記述したようにＵ字溝2の働きによって下方に狭小させたU字溝部分はロープの太さとＵ字溝の間隙巾とで保持されている為にロープ6Aが抜け外れる事がなく且つロープ6Aのたるみが本体中間部に設けた逆V字型に形成された紐留め部３に至るロープ6Ｂに及ばない為ロープ６Ｃが紐掛け部３から抜け外れてしまう恐れはない。
【００１８】
また従来テント及びそれぞれのテント支柱を適格に支持するためにテントの周囲の地面に対角線状あるいは放射状に数本打ち込まれるテント用ペグは、連結する折又は連結後それぞれに張り巡らせた各ロープの張力の調整を行わなければ成らないが、本発明は各ペグのロープ６Ｃを下方に引き下げると共に送りこみあるいは引き込む事で張力の調整が容易に成り、その後再び上方に引き上げ逆Ｖ字溝にロープ６Ｃを圧入すれば完了する為、従来のように特別な結束方法或は調整冶具を用いて行う必要がなくなる。
【００１９】
これらを総合的に勘案し、本発明のペグを使用すれば従来のものに比べ短時間で容易に確実なテントの設営が可能になる。尚本発明の杭本体の形状，及び材質はＵ字溝及びＶ字溝を杭本体に設ける事が可能であれば前記実施形態に限定されるものではない
【図面の簡単な説明】
【００２０】
【図１】本発明のテント用ペグの背面図
【図２】同ペグのＡ−Ａ断面図
【図３】本発明の実施形態を示すテント用ペグの側面図
【図４】本発明の実施形態を示すテント用ペグの背面図
【符号の説明】
【００２１】
1.杭本体
2.間隙部形状を下方に狭小させたU字溝
3.間隙部形状を上方に狭小させた逆V字型紐留め部
4.殴打部
5.補強突条
6（A,B,C）ロープ
【図１】
2006132165.tif 000003
【図２】
2006132165.tif 000004
【図３】
2006132165.tif 000005
【図４】
2006132165.tif 000006